(57)【要約】【課題】側方への光量を多くしながら軽量化しつつ、実装時の検査を簡単に行うことができる発光装置を提供すること。【解決手段】本発明に係る発光装置は、発光素子と、発光素子から出射された光の配光を制御する光束制御部材と、を有する。光束制御部材は、光軸から離れるにつれて発光素子から離れる傾斜面を有する外側入射面および内側入射面を有する入射面と、入射面と反対側に配置された反射面と、光軸を取り囲んで配置された出射面と、を含む。発光素子の発光面の中心から出射された光は、傾斜面に到達しない。【選択図】図６
2015176862.tif 000002
【特許請求の範囲】
【請求項１】
発光素子と、前記発光素子の上に配置され、前記発光素子から出射された光の配光を制御する光束制御部材と、を有する発光装置であって、
前記光束制御部材は、
前記発光素子から出射される光の光軸から離れるにつれて前記発光素子から離れる傾斜面として形成される外側入射面、および前記外側入射面の内側に連接する内側入射面を含み、前記発光素子から出射された光を入射させる入射面と、
前記入射面の反対側にその中央部分から外周部分に向かうにつれて前記発光素子から離れるように配置され、前記入射面で入射した光を側方に反射させる反射面と、
前記光軸を取り囲むように配置され、前記反射面で反射した光を出射させる出射面と、
を有し、
前記発光素子の発光面の中心から出射された光は、前記傾斜面に到達しない、
発光装置。
【請求項２】
前記光束制御部材は、前記外側入射面より外側に配置され、前記光軸に垂直な水平面をさらに有し、
前記発光素子の発光面の中心から出射された光は、前記水平面に直接到達しない、
請求項１に記載の発光装置。
【請求項３】
前記反射面は、その中心部分および外周部分を結ぶように配置された複数の凸部を有し、
前記凸部は、第１傾斜面と、前記第１傾斜面と対に配置された第２傾斜面と、前記第１傾斜面および前記第２傾斜面の境界線である稜線と、を含み、
前記稜線は、前記反射面の中心部分および外周部分を結ぶように配置され、前記発光素子に対して凹の曲線である、
請求項１または請求項２に記載の発光装置。
【請求項４】
請求項１〜３のいずれか一項に記載の発光装置と、
前記発光装置からの光を拡散させつつ透過させる光拡散部材と、
を有する、面光源装置。
【請求項５】
請求項４に記載の面光源装置と、
前記面光源装置から出射された光を照射される表示部材と、
を有する、表示装置。
【発明の詳細な説明】
【技術分野】
【０００１】
本発明は、発光素子から出射された光の配光を制御する光束制御部材を有する発光装置、当該発光装置を有する面光源装置および表示装置に関する。
【背景技術】
【０００２】
近年、省エネルギーや小型化の観点から、照明用の光源として、発光ダイオード（以下「ＬＥＤ」という）が使用されている。そして、ＬＥＤと、ＬＥＤから出射された光の配光を制御する光方向変換用光学素子（光束制御部材）と組み合わせた光放射用光源ユニット（発光装置）は、蛍光灯やハロゲンランプなどに代わり使用されるようになってきた（例えば、特許文献１参照）。
【０００３】
図１は、特許文献１に記載の光放射用光源ユニット１０の断面図である。なお、図１では、光放射用光源ユニット１０を実装する基板４０を破線で示している。図１に示すように、特許文献１に記載の光放射用光源ユニット１０は、ＬＥＤ２０と、ＬＥＤ２０から出射される光束の光軸ＬＡと交わる位置に配置された光方向変換用光学素子３０とを有する。光方向変換用光学素子３０は、ＬＥＤ側（裏側）の入射面３１と、入射面３１と反対側（表側）に配置された反射面３２と、側方の出射面３３と、入射面３１および出射面３３を繋いだ傾斜面３４と、を有する。傾斜面３４は、ＬＥＤ２０から出射される光の光軸ＬＡを含む平面において、光軸ＬＡから離れるにつれて、ＬＥＤ２０から離れるように配置されている。
【０００４】
ＬＥＤ２０から出射された光は、入射面３１で入射して、反射面３２で側方に反射された後、出射面３３から側方に出射する。なお、ＬＥＤ２０から出射した光が傾斜面３４で光方向変換用光学素子３０に入射することはない。このように、特許文献１に記載の光放射用光源ユニット１０では、光方向変換用光学素子３０によって、ＬＥＤ２０から出射した光を側方に向けて出射するように制御する。
【先行技術文献】
【特許文献】
【０００５】
【特許文献１】特開２００７−０４８８８３号公報
【発明の概要】
【発明が解決しようとする課題】
【０００６】
ここで、特許文献１に記載の光放射用光源ユニット１０においては、光方向変換用光学素子３０およびＬＥＤ２０を近接して配置しているため、ＬＥＤ２０から出射した光が、傾斜面３４へ直接到達することはない。しかしながら、発光面の大きいＬＥＤ２０を使用した場合や、光方向変換用光学素子３０およびＬＥＤ２０が離れて配置された場合には、ＬＥＤ２０から出射した光が傾斜面３４へ直接到達し、狙い通りに光束を制御することができずにＬＥＤ２０の直上方向へ漏れ光が生じるおそれがある。
【０００７】
そこで、本発明の目的は、光束制御部材を軽量化しつつ、発光装置直上へ向かう漏れ光を抑制できる発光装置を提供することである。さらに、本発明は、この発光装置を有する面光源装置および表示装置を提供することも目的とする。
【課題を解決するための手段】
【０００８】
本発明の発光装置は、発光素子と、前記発光素子の上に配置され、前記発光素子から出射された光の配光を制御する光束制御部材と、を有する発光装置であって、前記光束制御部材は、前記発光素子から出射される光の光軸から離れるにつれて前記発光素子から離れる傾斜面として形成される外側入射面、および前記外側入射面の内側に連接する内側入射面を含み、前記発光素子から出射された光を入射させる入射面と、前記入射面の反対側にその中央部分から外周部分に向かうにつれて前記発光素子から離れるように配置され、前記入射面で入射した光を側方に反射させる反射面と、前記光軸を取り囲むように配置され、前記反射面で反射した光を出射させる出射面と、を有し、前記発光素子の発光面の中心から出射された光は、前記傾斜面に到達しない。
【０００９】
また、本発明の面光源装置は、本発明の発光装置と、前記発光装置からの光を拡散させつつ透過させる光拡散部材と、を有する。
【００１０】
さらに、本発明の照明装置は、本発明の面光源装置と、前記面光源装置からの出射光を拡散させつつ透過させるカバーと、を有する。
【発明の効果】
【００１１】
本発明の発光装置、面光源装置および表示装置は、光束制御部材を軽量化しつつ、発光装置の直上へ向かう漏れ光を抑制できる。
【図面の簡単な説明】
【００１２】
【図１】図１は、特許文献１に係る光放射用光源ユニットの断面図である。
【図２】図２Ａ、Ｂは、実施の形態に記載の面光源装置の構成を示す図である。
【図３】図３Ａ、Ｂは、実施の形態に係る面光源装置の構成を示す図である。
【図４】図４は、実施の形態１に係る発光装置の断面図である。
【図５】図５Ａ〜Ｃは、光束制御部材の構成を示す図である。
【図６】図６Ａ、Ｂは、実施の形態１に係る発光装置における光路図である。
【図７】図７Ａ、Ｂは、実施の形態１に係る発光装置を用いた光の明るさのシミュレーション結果である。
【図８】図８は、比較例に係る発光装置における光路図である。
【図９】図９Ａ、Ｂは、比較例に係る発光装置を用いた光の明るさのシミュレーション結果である。
【図１０】図１０は、実施の形態２に係る発光装置の断面図である。
【図１１】図１１は、実施の形態２に係る光束制御部材の構成を示す図である。
【図１２】図１２Ａ、Ｂは、実施の形態２に係る発光装置における光路図である。
【図１３】図１３Ａ、Ｂは、実施の形態２に係る発光装置を用いた光の明るさのシミュレーション結果である。
【図１４】図１４Ａ、Ｂは、実施の形態３に係る光束制御部材の構成を示す図である。
【図１５】図１５Ａ、Ｂは、シミュレーションに使用した光束制御部材の斜視図である。
【図１６】図１６Ａ、Ｂは、実施の形態３に係る発光装置において、反射面の効果を示す光路図である。
【図１７】図１７は、実施の形態３に係る発光装置において、反射面の効果を示す光の明るさのシミュレーション結果である。
【発明を実施するための形態】
【００１３】
以下、本発明の実施の形態について、図面を参照して詳細に説明する。以下の説明では、本発明に係る面光源装置の代表例として、液晶表示装置のバックライトなどに適する面光源装置について説明する。これらの面光源装置は、面光源装置からの光を照射される被照射部材（例えば液晶パネル）と組み合わせることで、表示装置として使用されうる。
【００１４】
［実施の形態１］
（面光源装置および発光装置の構成）
図２〜図４は、本発明の一実施の形態に係る面光源装置４００の構成を示す図である。図２Ａは、本発明の実施の形態１に係る面光源装置４００の平面図であり、図２Ｂは、正面図である。図３Ａは、図２Ｂに示されるＡ−Ａ線の断面図であり、図３Ｂは、図２Ａに示されるＢ−Ｂ線の断面図である。図４は、本発明の実施の形態１に係る発光装置１００の断面図である。
【００１５】
図２および図３に示されるように、本実施の形態に係る面光源装置４００は、筐体４１０、光拡散部材４２０および複数の発光装置１００を有する。複数の発光装置１００は、筐体４１０の底板４１２の内面４１４上にマトリックス状に配置されている。底板４１２の内面４１４は、拡散反射面として機能する。また、筐体４１０の天板４１６には、開口部が設けられている。光拡散部材４２０は、この開口部を塞ぐように配置されており、発光面として機能する。発光面の大きさは、特に限定されないが、例えば約４００ｍｍ×約７００ｍｍである。
【００１６】
光拡散部材４２０は、光拡散性を有する板状の部材であり、発光装置１００からの出射光を拡散させつつ透過させる。通常、光拡散部材４２０の大きさは、液晶パネルなどの被照射部材の大きさとほぼ同じである。たとえば、光拡散部材４２０は、ポリメタクリル酸メチル（ＰＭＭＡ）、ポリカーボネート（ＰＣ）、ポリスチレン（ＰＳ）、スチレン・メチルメタクリレート共重合樹脂（ＭＳ）などの光透過性樹脂により形成される。光拡散性を付与するため、光拡散部材４２０の表面に微細な凹凸が形成されているか、または光拡散部材４２０の内部にビーズなどの光拡散子が分散している。
【００１７】
図４に示されるように、発光装置１００は、発光素子１１０と、発光素子１１０の上に配置された光束制御部材１２０を有する。発光素子１１０は、例えば白色発光ダイオードなどの発光ダイオード（ＬＥＤ）である。光束制御部材１２０は、発光素子１１０から出射された光の配光を制御する。光束制御部材１２０は、その中心軸ＣＡ１が発光素子１１０の光軸ＬＡに合致するように配置される。
【００１８】
（光束制御部材の構成）
図５は、実施の形態１に係る光束制御部材１２０の構成を示す図である。図５Ａは、光束制御部材１２０の平面図であり、図５Ｂは、底面図であり、図５Ｃは、側面図である。
【００１９】
図４および図５Ａ〜Ｃに示されるように、光束制御部材１２０は、裏側に配置された入射面１２１と、表側（入射面１２１の反対側）に配置された反射面１２２と、側方に配置された出射面１２３と、を有する。入射面１２１には、底板４１２に対して後述の光束制御部材本体を位置決めするための脚部１２４が設けられていてもよい。光束制御部材１２０の材料は、所望の波長の光を通過させ得るものであれば特に限定されない。たとえば、光束制御部材１２０の材料は、ポリメタクリル酸メチル（ＰＭＭＡ）やポリカーボネート（ＰＣ）、エポキシ樹脂（ＥＰ）などの光透過性樹脂、またはガラスである。光束制御部材１２０は、例えば射出成形により製造することができる。
【００２０】
入射面１２１は、発光素子１１０から出射した光の一部を入射させる。入射面１２１は、凹面１２５および裏面１２６を含む内側入射面と、傾斜面１２７を含む外側傾斜面とを有する。
【００２１】
凹面１２５は、光束制御部材１２０の裏側（発光素子１１０側）の中央部分に形成されている。凹面１２５は、発光素子１１０から出射された光の一部を入射させる。本実施の形態では、凹面１２５は、光軸ＬＡから離れるにつれて発光素子１１０に近づくように形成された、略球冠形状の回転対称（円対称）面である。凹面１２５の中心軸ＣＡ２と光束制御部材１２０の中心軸ＣＡ１とは一致している。発光素子１１０から出射された光のうち、光軸ＬＡに対する角度が小さい光は、凹面１２５で入射する。
【００２２】
裏面１２６は、凹面１２５の外側に配置されている。裏面１２６は、発光素子１１０から出射された光の一部を入射させる。本実施の形態では、裏面１２６は、中心軸ＣＡ１に垂直な平面である。裏面１２６は、凹面１２５の外周縁部から中心軸ＣＡ１に直交する方向に延在している。裏面１２６には、発光素子１１０から出射された光のうち、凹面１２５で入射した光より光軸ＬＡに対する角度が大きい光が入射する。
【００２３】
傾斜面１２７は、裏面１２６の外側に配置されている。傾斜面１２７は、発光素子１１０から出射された光の一部を入射させる。傾斜面１２７は、中心軸ＣＡ（光軸ＬＡ）から離れるにつれて発光素子１１０から離れるように配置されている。傾斜面１２７は、発光素子１１０の発光面の中心から出射され、内側入射面の外縁で入射した光の光路と交わらない角度で形成されている。すなわち、発光素子１１０の発光面の中心から出射された光のうち、裏面１２６で入射した光より光軸ＬＡに対する角度が大きい光は傾斜面に入射せず、発光素子１１０の端部から出射された光の一部が傾斜面１２７で入射する。本実施の形態では、傾斜面１２７に脚部１２４が設けられている。
【００２４】
反射面１２２は、入射面１２１で入射した光を側方に向けて反射させる。反射面１２２は、光束制御部材１２０の中心軸ＣＡ１を中心とする回転対称（円対称）面である。また、この回転対称面の中心部分から外周部分にかけての母線は、発光素子１１０に対して凹の曲線であり、反射面１２２は、中心軸ＣＡ１を回転軸として、この母線を３６０°回転させた状態の曲面である（図４参照）。すなわち、反射面１２２は、中心部分から外周部分に向かうにつれて発光素子１１０からの高さが高くなる非球面形状の曲面を有する。また、反射面１２２の外周部分は、反射面１２２の中心と比較して、発光素子１１０の光軸ＬＡ方向における発光素子１１０からの距離（高さ）が離れた位置に形成されている。たとえば、反射面１２２は、中心部分から外周部分に向かうにつれて発光素子１１０からの高さが高くなる非球面形状の曲面であるか、または、中心部分から所定の地点までは中心部分から外周部分に向かうにつれて発光素子１１０（底面４１２；基板）からの高さが高くなり、前記所定の地点から外周部分までは中心部分から外周部分に向かうにつれて発光素子１１０からの高さが低くなる非球面形状の曲面である。前者の場合、底面４１２の面方向に対する反射面１２２の傾斜角度は、中心部分から外周部分に向かうにつれて小さくなる。一方、後者の場合、反射面１２２には、中心部分と外周部分との間であって、かつ外周部分に近い位置に、底面４１２の面方向に対する傾斜角度が零（底面４１２と平行）となる点が存在する。なお、「母線」とは、一般的に線織面を描く直線を意味するが、本発明では回転対称面である反射面１２２を描くための曲線を含む語として用いる。
【００２５】
出射面１２３は、反射面１２２で反射した光を光束制御部材１２０の外部に出射させる。出射面１２３は、中心軸ＣＡ１を取り囲むように配置されている。本実施の形態では、出射面１２３は、中心軸ＣＡ１に沿った曲面である。中心軸ＣＡ１を含む断面において、出射面１２３の上端は、反射面１２２に接続されている。一方、中心軸ＣＡ１を含む断面において、出射面１２３の下端は、傾斜面１２７に接続されている。
【００２６】
脚部１２４は、入射面１２１、反射面１２２および出射面１２３を含む光束制御部材本体を底面４１２に対して位置決めするための部分である。本実施の形態では、脚部１２４は、入射面１２１（傾斜面１２７）に３本配置されている。
【００２７】
（シミュレーション）
本実施の形態の発光装置１００において、発光素子１１０から出射される光の光路と、発光素子１１０から出射される光の光軸ＬＡ上に拡散板を設置したときの拡散板上における明るさについてシミュレーションを行った。シミュレーションに使用した光束制御部材１２０の直径は１３ｍｍであり、発光素子１１０と光束制御部材１２０との間隔は１．２ｍｍとした。また、比較のため、本実施の形態の光束制御部材１２０の代わりに凹面１２５および傾斜面１２７を有しない（入射面１２１’が平面形状）光束制御部材を含む発光装置（以下「比較例の発光装置」という；図８参照）についても、同様のシミュレーションを行った。
【００２８】
図６は、実施の形態１に係る発光装置において、発光素子１１０の発光面の中心から出射された光の光路図である。図７Ａは、拡散板上における照度分布であり、図７Ｂは、図６に示される光軸ＬＡを含む断面における拡散板上の照度分布である。図７Ａの縦軸、横軸および図７Ｂの横軸は、拡散板の中心からの距離（ｍｍ）を示している。また、図７Ｂの縦軸は、照度（ｌｕｘ）を示している。
【００２９】
図６、図７Ａおよび図７Ｂに示されるように、実施の形態１に係る発光装置１００において、光軸ＬＡに対して小さい角度で出射した光は、凹面１２５または裏面１２６で入射して、反射面１２２に向かって屈折する。光束制御部材１２０内に入射した光は、反射面１２２で側方に向かって反射される。そして、反射面１２２で反射した光は、出射面１２３から光束制御部材１２０の外部に出射する。また、凹面１２５および裏面１２６に到達しない、光軸ＬＡに対して大きい角度で出射した光は、そのまま側方に向かって進行する。このように、実施の形態１に係る発光装置１００では、発光装置１００の上に極端な明部が生じなかった。
【００３０】
図８は、比較例に係る発光装置１００’において、発光素子１１０の発光面の中心から出射された光の光路図である。図９Ａは、拡散板上における照度分布であり、図９Ｂは、図８に示される光軸ＬＡを含む断面における拡散板上の照度分布である。図９Ａの縦軸、横軸および図９Ｂの横軸は、拡散板の中心からの距離（ｍｍ）を示している。また、図９Ｂの縦軸は、照度（ｌｕｘ）を示している。
【００３１】
図８、図９Ａおよび図９Ｂに示されるように、比較例に係る発光装置１００’において、光軸ＬＡに対して小さい角度で出射した光は、入射面１２１’の中央部分で入射して、反射面１２２に向かって屈折する。光束制御部材１２０’内に入射した光は、反射面１２２で側方に向かって反射される。そして、出射面１２３’から光束制御部材の外部に出射する。一方、光軸ＬＡに対して大きい角度で出射した光は、入射面１２１’の外周部分で入射して、反射面１２２に向かって屈折する。そして、出射面１２３’で上方に向かって反射される。反射した光は、反射面１２２から光束制御部材１２０’の外部に出射する。このように、比較例に係る発光装置１００’では、発光素子１１０の発光面から出射された光の一部が上方に向かって進行するように制御されるため、発光装置１００’の上に極端な明部が生じてしまう。また、傾斜面１２７が形成されていないため、光束制御部材１２０’の体積が大きくなり、重くなってしまう。
【００３２】
（効果）
実施の形態１に係る光束制御部材１２０には傾斜面１２７が形成されているため、光束制御部材１２０を軽量化することができる。また、発光素子１１０の発光面の中心から出射された光が光束制御部材１２０の上方に向かって漏れ光として出射されることがないため、発光装置１００’の上に極端な明部が生じてしまうことを防止できる。
【００３３】
［実施の形態２］
実施の形態２に係る面光源装置は、発光装置２００の構成のみが実施の形態１に係る面光源装置４００と異なる。そこで、実施の形態２に係る光束制御部材２２０のみについて説明する。
【００３４】
（光束制御部材の構成）
図１０は、実施の形態２に係る発光装置２００の断面図である。図１１Ａは、光束制御部材２２０の平面図であり、図１１Ｂは、底面図であり、図１１Ｃは、側面図である。
【００３５】
図１０、図１１Ａ〜Ｃに示されるように、光束制御部材２２０は、入射面１２１、反射面１２２、出射面１２３に加えて、検査基準面２２８を有する。
【００３６】
検査基準面２２８は、傾斜面１２７より表側であって、かつ傾斜面１２７の外側に配置されている。検査基準面２２８には、発光素子１１０の発光面の中心から出射した光が直接到達することはない。検査基準面２２８は、中心軸ＣＡ１に垂直な平面（水平面）である。検査基準面２２８は、傾斜面１２７の外周縁部から中心軸ＣＡ１に垂直な方向に延在している。検査基準面２２８には、脚部１２４が固定されている。これにより、光束制御部材２２０の脚部１２４や後述する出射面１２３などの高さ方向の寸法は、検査基準面２２８を基準として簡単に検査することができる。
【００３７】
（シミュレーション）
図１２Ａは、本実施の形態２に係る発光装置２００において、発光素子１１０の発光面の中心から出射された光の光路図であり、図１２Ｂは、発光素子１１０の発光面の端部から出射された光の一部の光路図である。
【００３８】
図１２Ａに示されるように、光軸ＬＡに対して小さい角度で出射した光は、凹面１２５または裏面１２６で入射するとともに、反射面１２２に向かって屈折する。光束制御部材２２０内に入射した光は、反射面１２２で側方に配置された出射面１２３に向かって反射される。そして、反射面１２２で反射した光は、出射面１２３から光束制御部材２２０の外部に出射する。また、凹面１２５および裏面１２６に到達しない、光軸ＬＡに対して大きい角度で出射した光は、検査基準面２２８に到達することなく、そのまま、側方に向かって進行する。このように、本実施の形態に係る発光装置２２０では、発光素子１１０の発光面の中心から出射された光を側方に向かって進行するように制御できる。
【００３９】
また、図１２Ｂに示されるように、発光素子１１０の発光面の端部から出射した光の一部は、傾斜面１２７で入射するとともに、反射面１２２に向かって屈折する。図１２Ｂでは、光束制御部材２２０内に入射した光が、反射面１２２で側方に配置された出射面１２３に向かって反射され、反射面１２２で反射した光は、出射面１２３から光束制御部材２２０の外部に出射する光路を示している。このように、発光素子１１０の発光面の端部から出射した光の一部は、側方に向かうように制御される。したがって、本実施の形態に係る発光装置２００では、発光素子１１０から出射された光の多くを側方に向けて進行するように制御できる。よって、発光装置２００全体として、光軸ＬＡに対して側方に進行する光を多くすることができるため、発光装置２００の上部に明部が生じにくく、輝度ムラが少ない。発光素子１１０の発光面の端部から出射した光が傾斜面１２７から入射し反射面１２２で反射されずに出射する光が存在する場合であっても、屈折して光軸ＬＡから離れる方向へ出射するため、発光装置２００の上部に明部が生じにくい。仮に、発光装置２００の上部へ向かう光が存在した場合であっても、発光素子１１０の発光面の端部から出射した光であるため、光軸ＬＡ近傍からの出射光と比べて強度が低い（暗い）ため、発光装置２００の上部に明部は生じにくい。
【００４０】
図１３Ａは、拡散板上における照度分布であり、図１３Ｂは、図１２Ａに示される光軸ＬＡを含む断面における拡散板上の照度分布である。図１３Ａの縦軸、横軸および図１３Ｂの横軸は、拡散板の中心からの距離（ｍｍ）を示している。また、図１３Ｂの縦軸は、照度（ｌｕｘ）を示している。
【００４１】
図１３Ａおよび図１３Ｂに示されるように、本実施の形態に係る発光装置２００では、発光素子１１０から出射された光の多くは、側方に向かうように制御されているため、発光装置２００の直上に極端な明部が生じなかった。
【００４２】
以上のように、実施の形態２に係る発光装置２００は、実施の形態１に係る発光装置１００と同様の効果を有する。また、実施の形態２に係る発光装置２００は、裏側に位置する入射面１２１の外周部に検査基準面２２８が形成されているため、実施の形態１に係る発光装置１００と比較して、簡単に光束制御部材２２０の高さ方向の寸法を管理することができる。
【００４３】
また、実施の形態２に係る発光装置２００では、発光素子１１０の発光面の中心から出射した光の一部は、光束制御部材２２０に入射せずそのまま側方に向けて出射される。また、発光面の端部から出射した光の一部は、傾斜面１２７で入射し、反射面１２２で反射して出射面１２３から側方に向かって出射する。よって、発光素子１１２から出射した光の多くを中心軸ＣＡ１に対して側方に向かうように制御することができる。
【００４４】
［実施の形態３］
実施の形態３に係る発光装置は、光束制御部材３２０の反射面３２２の形状のみが実施の形態１に係る発光装置１００と異なる。そこで、実施の形態１の発光装置１００と同じ構成要素については同一の符番を付し、説明を省略する。
【００４５】
（光束制御部材の構成）
図１４は、実施の形態３に係る光束制御部材３２０の構成を示す図である。図１４Ａは、光束制御部材３２０の斜視図であり、図１４Ｂは、中心軸ＣＡ１を通る断面図である。図１４に示されるように、実施の形態３に係る光束制御部材３２０は、入射面１２１、検査基準面２２８、反射面３２２および出射面１２３を有する。また、光束制御部材３２０は、脚部１２４を有していてもよい。
【００４６】
反射面３２２は、複数の凸部３２３を有する。各凸部３２３は、反射面３２２の中心部分から外周部分にかけて配置されている。複数の凸部３２３は、凸部３２３と隣接する凸部３２３との間に谷部が形成されるように配置されている。凸部３２３の数は特に限定されず、適宜設定される。複数の凸部３２３は、稜線３２６、第１傾斜面３２４および第２傾斜面３２５を有する。稜線３２６は、中心軸ＣＡ１を含む断面において、中心から外周部にかけて、発光素子１１０に対して凹の曲線である。
【００４７】
第１傾斜面３２４および第２傾斜面３２５は、これらの境界線が稜線３２６となるように配置されている。稜線３２６上における法線を含み第１傾斜面３２４および第２傾斜面３２５に直交する平面における凸部３２３の断面積は、中央部分から外周部に向かうにつれて徐々に大きくなっている。
【００４８】
（シミュレーション）
実施の形態３に係る発光装置の反射面３２２の効果についてシミュレーションした。図１５Ａおよび図１５Ｂは、シミュレーションに使用した光束制御部材の斜視図である。図１５Ａは、実施の形態３に係る光束制御部材３２０の反射面３２２（凸部３２３）を有する光束制御部材３２０Ａの斜視図であり、図１５Ｂは、反射面３２２（凸部３２３）を有さない比較例の光束制御部材の斜視図である。なお、シミュレーションに使用した光束制御部材３２０の直径は１３ｍｍであり、発光素子１１０と光束制御部材との間隔は１．２ｍｍとした。
【００４９】
図１６Ａは、光束制御部材３２０Ａを用いて、発光素子１１０の発光面の端部から出射された光の光路図であり、図１６Ｂは、比較例の光束制御部材を用いて、発光素子１１０の発光面の端部から出射された光の光路図である。
【００５０】
図１６Ａに示されるような反射面３２２が形成される光束制御部材３２０内に入射した光は、反射面３２２の複数の凸部３２３で再帰反射される。図１６Ａに示される複数の凸部３２３を含む反射面３２２を有する光束制御部材３２０Ａでは、図１６Ｂに示される複数の凸部３２３を含まない反射面を有する光束制御部材と比較して、光束制御部材３２０Ａ内へ入射し反射面へ到達した発光素子１１０の発光面の中心以外から出射する光を側方へ向かって反射する効果が高まる。具体的には、光束制御部材３２０Ａの内部に入射した光は、第１傾斜面３２４（または第２傾斜面３２５）に到達する。第１傾斜面３２４（または第２傾斜面３２５）に到達した光は、第２傾斜面３２５（または第１傾斜面３２４）に向かって反射される。そして、第２傾斜面３２５（または第１傾斜面３２４）で再び反射される。そして、出射面１２３から光束制御部材３２０Ａの外部に出射する。このように、本実施の形態に係る発光装置１００は、発光素子１１０の発光面の端部から出射された光を側方に向かって進行するように制御できる。
【００５１】
（効果）
以上のように、実施の形態３に係る発光装置は、実施の形態１および実際の形態２に係る発光装置１００、２００と同様の効果を有する。また、実施の形態３に係る発光装置は、直上に抜けてしまう光を側方に向けて制御できるため、実施の形態１および実施の形態２に係る発光装置１００、２００と比較して、さらに多くの光を側方に向けて制御することができる。
【００５２】
なお、凹面１２５は、平らな面であってもよい。この場合、凹面１２５は、裏面１２６と同一平面に形成される。
【産業上の利用可能性】
【００５３】
本発明に係る発光装置は、例えば、面光源装置の光源などとして有用である。
【符号の説明】
【００５４】
１０  光放射用光源ユニット
２０  ＬＥＤ
３０  光方向変換用光学素子
３１  入射面
３２  反射面
３３  出射面
３４  傾斜面
４０  基板
１００、２００  発光装置
１１０  発光素子
１２０、２２０、３２０、３２０Ａ  光束制御部材
１２１  入射面
１２２、３２２  反射面
１２３  出射面
１２４  脚部
１２５  凹面
１２６  裏面
１２７  傾斜面
３２３  凸部
３２４  第１傾斜面
３２５  第２傾斜面
３２６  稜線
２２８  検査基準面
４００  面光源装置
４１０  筐体
４１２  底板
４１４  内面
４１６  天板
４２０  光拡散部材
【図１】
2015176862.tif 000003
【図２】
2015176862.tif 000004
【図３】
2015176862.tif 000005
【図４】
2015176862.tif 000006
【図５】
2015176862.tif 000007
【図１０】
2015176862.tif 000008
【図１１】
2015176862.tif 000009
【図１４】
2015176862.tif 000010
【図１５】
2015176862.tif 000011
【図１６】
2015176862.tif 000012
【図１７】
2015176862.tif 000013
【図６】
2015176862.tif 000014
【図７】
2015176862.tif 000015
【図８】
2015176862.tif 000016
【図９】
2015176862.tif 000017
【図１２】
2015176862.tif 000018
【図１３】
2015176862.tif 000019